(57)【要約】【課題】電気掃除機において、部屋に漂っている浮遊塵埃を効率よく吸引・捕捉すること。【解決手段】塵埃を吸引するための電動送風機と、その上流に設けた塵埃を集塵する集塵室と、最も上流に設けて被掃除面近傍の塵埃を前記電動送風機の吸引風によって吸込む吸込具と、送風口６から被掃除面に略水平方向に送風を行う送風手段４と、送風手段４からの風を冷却してから送り出す冷却手段７を送風手段４の下流に設け、送風口６から冷風を送り出して漂っている浮遊塵埃を含む空気を冷却し空気密度を重くする構成としたので、浮遊塵埃を含む空気を吸込具近傍の被掃除面に移動・落下し易くして、効率よく吸引できるようになる。【選択図】図３
2010011996.tif 000002
【特許請求の範囲】
【請求項１】
塵埃を吸引するための電動送風機と、その上流に設けた塵埃を集塵する集塵室と、最も上流に設けて被掃除面近傍の塵埃を前記電動送風機の吸引風によって吸込む吸込具と、送風口から被掃除面に略水平方向に送風を行う送風手段と、送風手段からの風を冷却してから送り出す冷却手段を送風手段の下流に設け、送風口から冷風を送り出して漂っている浮遊塵埃を含む空気を冷却し空気密度を重くすることで、浮遊塵埃を含む空気を吸込具近傍の被掃除面に移動・落下し易くして浮遊塵埃を吸引する電気掃除機。
【請求項２】
送風口から送り出される風の吸込み経路は、吸込具から集塵室に繋がる吸込み経路とは別の独立した経路とするように構成した請求項１記載の電気掃除機。
【請求項３】
送風手段、冷却手段、送風口を浮遊塵埃捕捉ユニットとして着脱可能に一体化し、使用者がこのユニットの取り付け箇所を任意に設定できるように構成した請求項１または２記載の電気掃除機。
【発明の詳細な説明】
【技術分野】
【０００１】
本発明は、特に部屋に漂っている浮遊塵埃をも捕捉する機能を備えた電気掃除機に関するものである。
【背景技術】
【０００２】
花粉症の症状に悩まされる人口の増加に伴い、浮遊塵埃中に含まれる花粉の捕捉の要求が高まってきている。
【０００３】
ところが現在の掃除機は、床面や壁面など被掃除面あるいはその近傍に付着・漂っている塵埃を吸引・捕捉することを意図した構造であり、使用者が掃除を行う部屋の床面から数ｃｍの高さに漂っている浮遊塵埃の吸引・捕捉は意図されていない。
【０００４】
そこで使用者が浮遊塵埃を吸引・捕捉しようとする場合には、吸込具を持ち上げるなどの作業が必要であり、最近では以下の文献に示すような掃除機が提案されている。しかしながらこの構成では浮遊塵埃の捕捉を行うためには、図４のように手元部に連通孔２０２を設けて外気開閉蓋３１や通路開閉蓋３２を切り替える必要があり、連通孔から吸引している間は被掃除面からの吸引ができないので、掃除の効率が低下するという欠点があった。
【特許文献１】特開２００７−６８６８４号公報
【発明の開示】
【発明が解決しようとする課題】
【０００５】
このように部屋に漂っている浮遊塵埃を効率的に吸引・捕捉する機能を備えた掃除機が必要となってきている。
【０００６】
本発明は前記従来の課題を解決するもので、送風口から冷風を送り出して、漂っている浮遊塵埃を含む空気を、熱伝導により冷却し、空気密度を重くすることで、浮遊塵埃を含む空気を床面に移動・落下し易くして吸込具から吸引することによって、蓋や弁の切り替えを不要にした電気掃除機を提供する。
【課題を解決するための手段】
【０００７】
前記従来の課題を解決するために本発明は、塵埃を吸引するための電動送風機と、その上流に設けた塵埃を集塵する集塵室と、最も上流に設けて被掃除面近傍の塵埃を前記電動送風機の吸引風によって吸込む吸込具と、送風口から被掃除面に略水平方向に送風を行う送風手段と、送風手段からの風を冷却してから送り出す冷却手段を送風手段の下流に設け、送風口から冷風を送り出して漂っている浮遊塵埃を含む空気を冷却し空気密度を重くすることで、浮遊塵埃を含む空気を前記吸込具近傍の被掃除面に移動・落下させて前記吸込具から吸引する構成としているため、浮遊塵埃を効率的に捕捉・吸引することができる。
【発明の効果】
【０００８】
本発明は、送風手段からの送風によって漂っている浮遊塵埃を吸込具近傍の被掃除面に移動・落下させて吸込具から吸引することによって、蓋や弁の切り替えを行わなくても浮遊塵埃を効率的に捕捉・吸引することができる。
【発明を実施するための最良の形態】
【０００９】
第１の発明は、塵埃を吸引するための電動送風機と、その上流に設けた塵埃を集塵する集塵室と、最も上流に設けて被掃除面近傍の塵埃を前記電動送風機の吸引風によって吸込む吸込具と、送風口から被掃除面に略水平方向に送風を行う送風手段と、送風手段からの風を冷却してから送り出す冷却手段を送風手段の下流に設け、送風口から冷風を送り出して漂っている浮遊塵埃を含む空気を冷却し空気密度を重くすることで、浮遊塵埃を含む空気を吸込具近傍の被掃除面に移動・落下し易くして浮遊塵埃を吸引する構成としているため、浮遊塵埃を効率的に捕捉・吸引することができる。
【００１０】
第２の発明は、送風口から送り出される風の吸込み経路は、吸込具から集塵室に繋がる吸込み経路とは別の独立した経路とする構成としているので、蓋や弁の切り替えを行なう必要もなく、掃除の効率を低下させることなく浮遊塵埃を効率的に捕捉・吸引することができる。
【００１１】
第３の発明は、送風手段、冷却手段や送風口を浮遊塵埃捕捉ユニットとして着脱可能に一体化し、使用者がこのユニットの取り付け箇所を任意に設定できるように構成しているので、浮遊塵埃の漂う状況に応じて使用者がこのユニットを適切な箇所に調節することができ、浮遊塵埃をさらに効率的に捕捉・吸引することができる。
【００１２】
以下、本発明の実施の形態について、図面を参照しながら説明する。なお、この実施の形態によりこの発明が限定されるものではない。
【００１３】
（実施の形態）
図１は本発明の実施の形態における電気掃除機の概観図、図２は同電気掃除機の回路ブロック図である。
【００１４】
図において、１は塵埃を吸引するための電動送風機、２はその電動送風機１の上流に設けた塵埃を集塵する集塵室、３は最も上流に設けて被掃除面近傍の塵埃を前記電動送風機１の吸引風によって吸込む吸込具、４は吸風口５から空気を取り入れ送風口６から被掃除面に略水平方向に送風を行う送風手段であり、本実施の形態では送風手段４からの風量は０．０６ｍ3／分（毎分０．０６立方メートル＝毎秒１０立方センチメートル）に設定しており、風がゆっくりと送り出されている。
【００１５】
７は前記送風手段４の下流に設けて送風手段４からの風を冷却してから送り出す冷却手段であり、前記送風手段４および冷却手段７は前記電動送風機１の運転に同期して動作する。８ａおよび８ｂはいずれもこの冷却手段７に駆動電力を供給する電気接点部であり、８ａは被掃除面から数ｃｍの高さに位置するように吸込具３に設けてあり、８ｂは手元操作部に設けてある。一般的には電気接点部８ａを使用するが、吸込具３無しでの掃除を行う場合もあり、そのような場合には電気接点部８ｂを使用する。
【００１６】
９は前記送風手段４、冷却手段７、吸風口５や送風口６を一体化した浮遊塵埃捕捉ユニットであり、前記電気接点部８ａまたは８ｂのいずれかに着脱可能な構成としている。
【００１７】
図３はこの浮遊塵埃捕捉ユニット９の斜視図（一部要部断面図を含む）である。
【００１８】
図のように、前記吸風口５から送風口６へ送り出される風の吸込み経路は、前記吸込具３から集塵室２に繋がる吸込み経路とは別の独立した経路とするように構成している。
【００１９】
以上のように構成した電気掃除機について、以下その動作、作用の説明を行なう。
【００２０】
使用者は浮遊塵埃捕捉ユニット９を電気接点部８ａまたは８ｂに取り付ける（図は被掃除面からの高さが数ｃｍに位置する電気接点部８ａに取り付けた状態を示している。）。
【００２１】
掃除を行うために掃除機を運転すると、送風手段４は動作を開始して、吸風口５から空気を取り入れて送風口６側に空気を送る。この途中にある冷却手段７では送風手段４から送られてくる空気を冷却して送風口６に送るため、冷却された空気が被掃除面（床面）高さ数ｃｍあたりに漂っている浮遊塵埃を支えている空気を目がけて送風口６から送り出される。
【００２２】
この空気は冷却されているので、送風によって浮遊塵埃を含む空気を冷却し、浮遊塵埃を含む空気の比重が重くなって、浮遊塵埃を含む空気が、吸込具近傍の被掃除面に移動・落下しやすくなる。これによって浮遊塵埃を吸込具３から効率的に捕捉・吸引することができる。
【００２３】
なお本発明では送風口６からの送風角度は固定したが、使用する電気接点部に応じて、例えば吸込具３の近傍に送風できるように使用者が調節できる構成としても良い。
【産業上の利用可能性】
【００２４】
以上のように、本発明にかかる電気掃除機は、送風口６から冷気を送り出して漂っている浮遊塵埃を吸込具３近傍の被掃除面に移動・落下させて吸込具３から吸引することができ、蓋や弁の切り替えも不要になり、浮遊塵埃を効率的に捕捉・吸引することができる。
【００２５】
また、送風手段４、冷却手段７や送風口６を浮遊塵埃捕捉ユニット９として着脱可能に一体化しているので、浮遊塵埃の漂う状況に応じて使用者がこのユニット９を適切な箇所に調節することができる。
【図面の簡単な説明】
【００２６】
【図１】本発明の実施の形態を示す電気掃除機の概観図
【図２】同電気掃除機の回路ブロック図
【図３】同電気掃除機の浮遊塵埃捕捉ユニットの斜視図
【図４】従来の電気掃除機の断面図（外気吸引用の連通孔開放時）
【符号の説明】
【００２７】
１  電動送風機
２  集塵室
３  吸込具
４  送風手段
５  吸風口
６  送風口
７  冷却手段
８ａ、８ｂ  電気接点部
９  浮遊塵埃捕捉ユニット
【図１】
2010011996.tif 000003
【図２】
2010011996.tif 000004
【図３】
2010011996.tif 000005
【図４】
2010011996.tif 000006